(57)【要約】【課題】どちらの面が室外側となっても室内側に空調効果をもたらすことができる回転建具を提供する。【解決手段】回転窓１は、第１板材１０ａを室外に向けた状態と第２板材１０ｂを室外に向けた状態とで回転可能な積層体Ｌを有し、積層体Ｌは、太陽熱、大気熱及び大気湿度の少なくとも１つを利用し、第１板材１０ａを室外に向けた状態及び第２板材１０ｂが室外を向いた状態の双方で、室内に調湿効果をもたらす。なお、調湿効果をもたらすものに限らず、調温効果をもたらすものであってもよい。さらに、積層体Ｌは、大気酸素濃度、大気二酸化炭素濃度、及び大気ＶＯＣ（揮発性有機化合物）濃度等の大気中の特定気体の濃度を利用して、室内に成分濃度調整効果をもたらすものであってもよい。【選択図】図１
2019112887.tif 000002
【特許請求の範囲】
【請求項１】
第１面を室外に向けた状態と第２面を室外に向けた状態とで回転可能な平板体を有した回転建具であって、
前記平板体は、太陽熱、大気熱、大気湿度、並びに大気酸素濃度、大気二酸化炭素濃度、及び大気ＶＯＣ（揮発性有機化合物）濃度等の大気中の特定気体の濃度の少なくとも１つを利用し、前記第１面が室外を向いた状態及び前記第２面が室外を向いた状態の双方で、室内に空調効果をもたらす
ことを特徴とする回転建具。
【請求項２】
前記平板体の左右位置を維持したまま上下方向に回転可能とする回転機構をさらに備える
ことを特徴とする請求項１に記載の回転建具。
【請求項３】
前記平板体の上下位置を維持したまま左右方向に回転可能とする回転機構をさらに備える
ことを特徴とする請求項１に記載の回転建具。
【請求項４】
前記平板体の上下方向及び左右方向の双方に回転可能とする回転機構をさらに備える
ことを特徴とする請求項１に記載の回転建具。
【請求項５】
前記平板体は、略平行配置される透明性の２枚の板材と、前記２枚の板材の間に配置される第１ユニット及び第２ユニットと、を備え、
前記第１ユニットを前記２枚の板材のうちの一方の板材側とし、前記第２ユニットを前記２枚の板材のうちの他方の板材側となるように、両者を気密に隔てる隔離層が形成され、
前記第１ユニットは、断面視して前記２枚の板材に沿う第１の辺と前記第１の辺に対して角度を有する第２及び第３の辺からなり吸湿性を有した透明性の第１三角柱プリズムと、前記第２及び第３の辺のうち、下方側の辺となる第２の辺に対して設置される第１太陽熱受領部と、を有し、
前記第２ユニットは、断面視して前記２枚の板材に沿う第４の辺と前記第４の辺に対して角度を有する第５及び第６の辺からなり吸湿性を有した透明性の第２三角柱プリズムと、前記第５及び第６の辺のうち、上方側の辺となる第５の辺に対して設置される第２太陽熱受領部と、を有して、前記第１三角柱プリズムの第２の辺が、前記第２三角柱プリズムの第５の辺と対向するように配置される
ことを特徴とする請求項２に記載の回転建具。
【請求項６】
前記平板体は、両者間で挟まれる空間を形成する２枚の板材と、前記２枚の板材の間に封入された液体と、前記２枚の板材のうちの一方の板材側に前記液体の貯留部を形成し、前記一方の板材側の熱によって蒸発した前記貯留部内の液体が他方の板材側に到達し、他方の板材側において凝縮した液体を再度前記貯留部に戻す液体循環構造とされたスロープと、
を有することを特徴とする請求項３に記載の回転建具。
【請求項７】
前記平板体は、
それぞれが、両者間で挟まれる空間を形成する２枚の板材と、前記２枚の板材の間に封入された液体と、前記２枚の板材のうちの一方の板材側に前記液体の貯留部を形成し、前記一方の板材側の熱によって蒸発した前記貯留部内の液体が他方の板材側に到達し、他方の板材側において凝縮した液体を再度前記貯留部に戻す液体循環構造とされたスロープと、を有する第１及び第２積層体と、
前記第１及び第２積層体の間に配置され、特定温度範囲に融点及び凝固点を有する潜熱蓄熱材と、を備え、
前記第１積層体の前記一方の板材と、前記第２積層体の前記他方の板材とが向かい合う
ことを特徴とする請求項４に記載の回転建具。
【請求項８】
前記平板体は、両者間で挟まれる空間を形成する２枚の板材と、太陽熱を受領する太陽熱受領部と、を備え、
前記２枚の板材の内部に、前記太陽熱受領部により受領された熱により吸収液を加熱することで、当該吸収液から冷媒を蒸発させて濃溶液とする再生器と、
前記２枚の板材の内部に、当該再生器により生成された蒸気冷媒を液化する凝縮器と、
前記２枚の板材の内部に減圧状態とされた部分をもち、当該部分において、前記２枚の板材のうち一方の板材内壁に前記凝縮器で得られた液体冷媒を滴下して当該液体冷媒を蒸気冷媒とすることにより前記一方の板材側を冷却する蒸発器と、
当該部分において、前記２枚の板材のうち他方の板材内壁に前記再生器にて得られた濃溶液を滴下して当該濃溶液に前記蒸発器で得られた蒸気冷媒を吸収させると共に吸収熱により前記他方の板材側を加温する吸収器と、を有する
ことを特徴とする請求項３に記載の回転建具。
【請求項９】
前記平板体は、それぞれが気相を有して潜熱蓄熱材を封入すると共に高さ方向に配列された複数のセルと、前記複数のセル内をその高さ方向に隔った位置で設けられた特定イオンと他のイオンとの透過速度を異ならせ、又は、イオンと水分との透過速度を異ならせる膜部材と、
を備えることを特徴とする請求項２に記載の回転建具。
【発明の詳細な説明】
【技術分野】
【０００１】
本発明は、回転建具に関する。
【背景技術】
【０００２】
従来、一面に蓄熱層を有し他面に断熱層を有する回転体を備えた建具について提案されている（特許文献１参照）。この建具では、蓄熱層を室外側に向けて太陽光線から得られる熱を蓄熱層で蓄熱し、その後蓄熱層を室内側に向けることで、断熱層により室内からの放射冷却を防止しつつ、蓄熱槽から室内に熱を放出することができる。
【先行技術文献】
【特許文献】
【０００３】
【特許文献１】特開２０１６−０３０９６４号公報
【発明の概要】
【発明が解決しようとする課題】
【０００４】
ここで、特許文献１に記載の建具は、蓄熱後に蓄熱層を室内側に向けた場合には、蓄熱層からの熱を利用して室内を温めることができるが、蓄熱層が室外側に向いている間において回転体は単なる断熱材として機能するのみであり、室内の空調効果（調温効果、調湿効果、又は成分濃度調整効果）を得ることができなくなってしまう。
【０００５】
本発明は、このような問題を解決するためになされたものであり、その目的とするところは、どちらの面が室外側となっても室内側に空調効果をもたらすことができる回転建具を提供することにある。
【課題を解決するための手段】
【０００６】
本発明に係る回転建具は、第１面を室外に向けた状態と第２面を室外に向けた状態とで回転可能な平板体を有したものである。平板体は、太陽熱、大気熱及び大気湿度や大気酸素濃度、大気二酸化炭素濃度、大気ＶＯＣ（揮発性有機化合物）濃度等大気中の特定気体の濃度の少なくとも１つを利用し、第１面が室外を向いた状態及び第２面が室外を向いた状態の双方で、室内に空調効果をもたらす。
【発明の効果】
【０００７】
本発明によれば、第１面が室外を向いた状態及び第２面が室外を向いた状態の双方で、室内に空調効果をもたらすため、一方の面が室外側であるときに断熱効果だけ発揮して自発的に温度や湿度、成分濃度を調節できないということがなく、どちらの面が室外側となっても室内側に空調効果をもたらすことができる。
【図面の簡単な説明】
【０００８】
【図１】本発明の第１実施形態に係る回転窓を示す断面図である。
【図２】第１三角柱プリズムを含む拡大断面図である。
【図３】第１実施形態に係る回転窓を示す斜視図であって、回転機構を示すものである。
【図４】第２実施形態に係る回転窓を示す断面図である。
【図５】図４に示したスロープの詳細を示す斜視図である。
【図６】第２実施形態に係る回転窓を示す斜視図であって、回転機構を示すものである。
【図７】第２実施形態に係る回転窓の他の例を示す斜視図である。
【図８】第３実施形態に係る回転窓を示す断面図である。
【図９】第３実施形態に係る回転窓を示す斜視図であって、回転機構を示すものである。
【図１０】第４実施形態に係る回転窓を示す断面図である。
【図１１】第４実施形態に係る回転窓の積層体を回転機構を利用して回転させたときの断面図である。
【図１２】第５実施形態に係る回転窓を示す断面図である。
【図１３】複数のセルの１つを示す第１拡大図であり、（ａ）は第１状態を示し、（ｂ）はセルが上下方向に半回転させられたときの第２状態を示している。
【図１４】複数のセルの１つを示す第２拡大図であり、（ａ）は第１状態を示し、（ｂ）はセルが上下方向に半回転させられたときの第２状態を示している。
【発明を実施するための形態】
【０００９】
以下、本発明を好適な実施形態に沿って説明する。なお、本発明は以下に示す実施形態に限られるものではなく、本発明の趣旨を逸脱しない範囲において適宜変更可能である。また、以下に示す実施形態においては、一部構成の図示や説明を省略している箇所があるが、省略された技術の詳細については、以下に説明する内容と矛盾点が発生しない範囲内において、適宜公知又は周知の技術が適用されていることはいうまでもない。
【００１０】
図１は、本発明の第１実施形態に係る回転窓を示す断面図である。なお、以下では、窓（開閉の可否を問わない）として適用可能な回転窓を回転建具の一例として説明するが、回転建具は回転窓に適用されるものに限らず、回転する外壁材などであってもよい。
【００１１】
図１に示す例に係る回転窓１は、概略的に２枚の板材１０と、真空封止部材２０と、第１ユニット３０と、第２ユニット４０と、２枚の隔離壁５０とを備えている。
【００１２】
２枚の板材１０は、互いに略平行配置される透明性且つ水蒸気透過性の板材である。これらの板材１０は例えば多孔質ガラス、シリコーン、サージカルフィルム等に使用される透湿性ポリウレタン樹脂、及びＴｙｖｅｋ（登録商標）等の透湿水密フィルムによって構成されている。
【００１３】
真空封止部材２０は、２枚の板材１０の周端部において２枚の板材１０の間に介在するものである。２枚の板材１０の周端部に真空封止部材２０が設けられることによって、２枚の板材１０と真空封止部材２０とによって閉じられた内部空間が形成される。
【００１４】
第１ユニット３０及び第２ユニット４０は、２枚の板材１０と真空封止部材２０とで形成される内部空間に配置されるものである。このような第１ユニット３０と第２ユニット４０とは２枚の隔離壁５０によって気密に隔てられている。これらの２枚の隔離壁５０は透明性の板材によって構成されており、２枚の板材１０のうち第１板材（第１面、一方の板材）１０ａ側を第１ユニット３０とし、２枚の板材１０のうち第２板材（第２面、他方の板材）１０ｂ側を第２ユニット４０となるように、これらを隔てている。なお、２枚の隔離壁５０の間は真空断熱層（隔離層）ＶＩＬとなる。
【００１５】
より詳細に説明すると、２枚の隔離壁５０は、双方が断面視してジグザグ状となっており、２枚の隔離壁５０のうちの第１壁５１と第１板材１０ａとによって複数の第１内部空間ＩＳ１が形成されている。複数の第１内部空間ＩＳ１は、それぞれが断面視して三角形となっている。この第１内部空間ＩＳ１には、吸湿性の液体Ｌｉが満たされている。この結果、吸湿性の液体Ｌｉと第１壁５１とによって第１三角柱プリズム３１が形成されている。第１ユニット３０は、複数の第１三角柱プリズム３１と、後述する複数の第１選択吸収部（第１太陽熱受領部）３２とによって構成されている。なお、以下の説明においては、第１内部空間ＩＳ１が吸湿性の液体Ｌｉで満たされている例を説明するが、液体Ｌｉに限らず、第１内部空間ＩＳ１には吸湿性の固体やゲル状体が封入されて第１三角柱プリズム３１が構成されていてもよい。
【００１６】
同様に、２枚の隔離壁５０のうちの第２壁５２と第２板材１０ｂとによって複数の第２内部空間ＩＳ２が形成されている。複数の第２内部空間ＩＳ２は、それぞれが断面視して三角形となっている。この第２内部空間ＩＳ２には、吸湿性の液体Ｌｉが満たされている。この結果、吸湿性の液体Ｌｉと第２壁５２とによって第２三角柱プリズム４１が形成されている。なお、第２ユニット４０は、複数の第２三角柱プリズム４１と、後述する複数の第２選択吸収部（第２太陽熱受領部）４２とによって構成されている。なお、以下の説明においても、第２内部空間ＩＳ２が吸湿性の液体Ｌｉで満たされている例を説明するが、液体Ｌｉに限らず、第２内部空間ＩＳ２には吸湿性の固体やゲル状体が封入されて第２三角柱プリズム４１が構成されていてもよい。
【００１７】
図２は、第１三角柱プリズム３１を含む拡大断面図である。第１三角柱プリズム３１は、断面視して２枚の板材１０に沿う第１の辺３１ａと、第１の辺３１ａに対して角度を有する第２の辺３１ｂ及び第３の辺３１ｃとから構成されている。第２の辺３１ｂは、立面状態である回転窓１において、第３の辺３１ｃよりも鉛直下方側に位置する辺である。
【００１８】
第１選択吸収部３２は、第２の辺３１ｂに対して設置されるものであり、第１三角柱プリズム３１を介して入射する太陽光から太陽熱を受領するものである。この第１選択吸収部３２は、太陽光波長領域（０．３〜２．５μｍ）では吸収率が大きく、赤外線波長領域（３．０〜２０μｍ）では放射率が小さくされたものである。なお、図２に示す例において第１選択吸収部３２は第１内部空間ＩＳ１内に収納されているが、これに限らず、第１内部空間ＩＳ１外（第１壁５１の外側）に設けられていてもよい。
【００１９】
ここで、第１三角柱プリズム３１は、以下の３種の光路ＯＰ１〜ＯＰ３が実現されるように、屈折率や三角の各内角が設定されている。３種の光路ＯＰ１〜ＯＰ３のうち第１光路ＯＰ１は、第１板材１０ａを通過して第１の辺３１ａから第１三角柱プリズム３１内に進入した太陽光が、直接第２の辺３１ｂに到達するものである。第２光路ＯＰ２は、当該太陽光が第３の辺３１ｃで全反射して第２の辺３１ｂに到達するものである。第３光路ＯＰ３は、当該太陽光が第３の辺３１ｃ及び第１の辺３１ａの順に全反射した後に第２の辺３１ｂに到達するものである。
【００２０】
このような第１〜第３光路ＯＰ１〜ＯＰ３が実現されるためには、第２光路ＯＰ２の第３の辺３１ｃへの入射角は臨界角以上である必要がある。さらに、第３光路ＯＰ３の第３の辺３１ｃへの入射角は臨界角以上であり、全反射後の第１の辺３１ａへの入射角も臨界角以上である。
【００２１】
このように、第１三角柱プリズム３１が３種の光路ＯＰ１〜ＯＰ３を実現する構成となっているため、第１選択吸収部３２は太陽熱を効率良く受領することができ、第１三角柱プリズム３１を加熱することができる。加熱された三角柱プリズム３１は、吸湿性の液体Ｌｉから湿気を放出することとなる。
【００２２】
なお、第１実施形態においては吸湿性の液体Ｌｉ及び第１壁５１が共に同じ屈折率（例えば屈折率１．４１）のもので構成することを想定しているが、特にこれに限るものではない。さらに、第１三角柱プリズム３１は、吸湿性の液体Ｌｉと第１壁５１とによって構成されているが、これに限らず、内部に液体Ｌｉ等を封入可能な三角管を備え、三角管内に吸湿性の液体Ｌｉ等が封入されていてもよい。加えて、第１三角柱プリズム３１は、多孔質ガラスなど、中実の固体によって構成されていてもよい。
【００２３】
再度図１を参照する。第２三角柱プリズム４１は、断面視して２枚の板材１０に沿う第４の辺４１ａと、第４の辺４１ａに対して角度を有する第５の辺４１ｂ及び第６の辺４１ｃとから構成されている。第５の辺４１ｂは、立面状態である回転窓１において、第６の辺４１ｃよりも鉛直上方側に位置する辺である。
【００２４】
このような第２三角柱プリズム４１と第２選択吸収部４２を有する第２ユニット４０は断面視して回転窓１の高さ及び厚みの中心位置ＣＰを中心に第１ユニット３０と点対称構造となっている。このため、後述するように、回転窓１が左右位置を維持したまま上下回転（上下方向に半回転）させられた場合には、第２三角柱プリズム４１が上記の３種の光路ＯＰ１〜ＯＰ３を実現することとなる。また、第１三角柱プリズム３１と第２三角柱プリズム４１とが同形状であり対となっていることから、像回復効果をもたらすことができる。すなわち、室内側からユーザが景色を視認した場合に、景色の歪みを抑える構成となっている。なお、第２三角柱プリズム４１についても第１三角柱プリズム３１と同様に、吸湿性の液体Ｌｉと第２壁５２とによって構成されているが、これに限らず、内部に液体Ｌｉ等を封入可能な三角管を備え、三角管内に吸湿性の液体Ｌｉ等が封入されていてもよい。加えて、第２三角柱プリズム４１は、多孔質ガラス等、中実の固体によって構成されていてもよい。
【００２５】
第２選択吸収部４２は、第５の辺４１ｂに対して設置されるものであり、回転窓１の上下方向への半回転時において第２三角柱プリズム４１を介して入射する太陽光から太陽熱を受領するものである。この第２選択吸収部４２は、第１選択吸収部３２と同様に、太陽光波長領域（０．３〜２．５μｍ）では吸収率が大きく、赤外線波長領域（３．０〜２０μｍ）では放射率が小さくされたものである。なお、図１に示す例において第２選択吸収部４２は第２内部空間ＩＳ２内に収納されているが、これに限らず、第２内部空間ＩＳ２の外側（第２壁５２の外側）に設けられていてもよい。
【００２６】
ここで、第２三角柱プリズム４１は図１に示す状態において室内側となっている。また、第２板材１０ｂが水蒸気透過性であることから、第２三角柱プリズム４１は室内側の湿気を取り込むことができ、室内側に調湿効果をもたらすことができる。
【００２７】
図３は、第１実施形態に係る回転窓１を示す斜視図であって、回転機構を示すものである。なお、以下の説明において、回転窓１のうち回転機構６０を除く構成（２枚の板材１０、真空封止部材２０、第１ユニット３０、第２ユニット４０及び隔離壁５０）を積層体（平板体）Ｌと称する。
【００２８】
図３に示すように、回転窓１は、積層体Ｌの室外側にジャロジー窓とも呼ばれる透明ルーバーＴＬ１を備えている。また、回転窓１は、積層体Ｌの室内側に室内ルーバーＴＬ２を備えている。さらに、第１実施形態に係る回転窓１は回転機構６０を備えている。回転機構６０は、ピボット６１と、窓枠６２と、不図示のロック手段を備えており、積層体ＬがルーバーＴＬ１，ＴＬ２に接触することなく半回転可能となっている。
【００２９】
具体的に説明すると、ピボット６１は積層体Ｌの上下いずれか一方の端部ＬＴ２に設けられた回転軸部材である。このようなピボット６１は、積層体Ｌの左右辺にそれぞれ設けられている。窓枠６２は、積層体Ｌが嵌め込まれるものであり、窓枠６２に嵌め込まれた積層体Ｌは不図示のロック手段によって嵌め込まれた状態を維持するロック状態とされる。また、ピボット６１は窓枠６２の左右部材６２ａに対してスライド可能となっている。なお、室内ルーバーＴＬ２は、室内方向に開閉動作可能となっている。
【００３０】
このような構成であるため、以下のようにして回転動作を行うことができる。まず、窓枠６２の下端にピボット６１が位置しているものとする。この状態から室内ルーバーＴＬ２が開かれる。次に、ロック手段が解除され、積層体Ｌのうちピボット６１が設けられていない側の端部ＬＴ１が室内側に引き出される。次いで、積層体Ｌのピボット６１側の端部ＬＴ２が、窓枠６２に対して上方向にスライドさせられる。その後、積層体Ｌの端部ＬＴ２が窓枠６２の上端に達すると、積層体Ｌが窓枠に嵌め込まれ、ロック手段によりロックされる。最後に室内ルーバーＴＬ２が閉じられる。
【００３１】
以上により、上下方向への半回転動作が行われる。上下方向への半回転動作が行われると、第１ユニット３０と第２ユニット４０との左右位置が維持されたまま、上下位置が逆転することになる。
【００３２】
次に、第１実施形態に係る回転窓１の作用を説明する。まず、図１に示す第１ユニット３０が室外側に向いており、第２ユニット４０が室内側に向いているものとする。
【００３３】
この状態においては、太陽光が第１板材１０ａを介して第１ユニット３０に至る。第１ユニット３０の第１三角柱プリズム３１では３種の光路ＯＰ１〜ＯＰ３が実現されることから、第１選択吸収部３２は効率良く太陽光を受光して太陽熱を受領する。また、第１三角柱プリズム３１を構成する吸湿性の液体Ｌｉは、第１選択吸収部３２によって加熱されることとなり、湿気を放出することとなる。吸湿性の液体Ｌｉから放出された湿気は水蒸気透過性の第１板材１０ａを介して外気放出される。
【００３４】
一方、第２ユニット４０では、第２三角柱プリズム４１を構成する吸湿性の液体Ｌｉが室内側の湿気を取り込むこととなる。すなわち、室内側の湿気は水蒸気透過性の第２板材１０ｂを介して吸湿性の液体Ｌｉに吸収される。よって、室内側には調湿効果がもたらされることとなる。
【００３５】
さらに、図３に示した回転機構６０を利用して積層体Ｌが左右位置を維持したまま上下方向に半回転させられたとする。この場合、第２ユニット４０が室外側に向き、第１ユニット３０が室内側に向くこととなる。
【００３６】
この状態においては、太陽光が第２板材１０ｂを介して第２ユニット４０に至る。第２ユニット４０と第１ユニット３０とは点対称構造であることから、第２ユニット４０の第２三角柱プリズム４１においても３種の光路ＯＰ１〜ＯＰ３が実現される。これにより、第２選択吸収部４２は効率良く太陽光を受光して太陽熱を受領する。また、第２三角柱プリズム４１を構成する吸湿性の液体Ｌｉは、第２選択吸収部４２によって加熱されることとなり、湿気を放出することとなる。すなわち、室内側の湿気を取り込んだ吸湿性の液体Ｌｉから、湿気を放出して吸湿性の液体Ｌｉを再生することとなる。
【００３７】
一方、室内側となる第１ユニット３０では、第１三角柱プリズム３１を構成する吸湿性の液体Ｌｉが再生済みの状態となっており、室内側の湿気を取り込むこととなる。よって、室内側には調湿効果がもたらされることとなる。
【００３８】
このようにして、第１実施形態に係る回転窓１によれば、第１板材１０ａが室外を向いた状態及び第２板材１０ｂが室外を向いた状態の双方で、室内に調湿効果をもたらすため、一方の面が室外側であるときに断熱効果だけ発揮して自発的に温度や湿度を調節できないということがなく、どちらの面が室外側となっても室内側に調湿効果をもたらすことができる。
【００３９】
また、左右位置を維持したまま上下方向に回転可能とされているため、例えば第１板材１０ａと第２板材１０ｂとの相対位置を入れ替える際に上下回転でなければ、双方の面で調湿効果を得られない場合に、適切に回転させて室内側に調湿効果をもたらすことができる。
【００４０】
また、第１ユニット３０として、吸収性を有した第１三角柱プリズム３１と、第１選択吸収部３２とを有し、第２ユニット４０として、吸収性を有した第２三角柱プリズム４１と、第２選択吸収部４２とを有する。このため、第１ユニット３０が室外側となる場合、室外側の第１ユニット３０では太陽熱を利用した加熱によって第１三角柱プリズム３１から湿気が放出されて再生されることとなり、室内側の第２ユニット４０では室内側の湿気を吸収して調湿効果をもたらすことができる。また、第２ユニット４０の第２三角柱プリズム４１によって充分に吸湿を行った場合には、上下回転を行って第２ユニット４０を室外側とし第２ユニット４０側の第２三角柱プリズム４１を再生することができる。第１ユニット３０については上下回転によって再生された状態で室内側に移動し、室内側の湿気を吸収して調湿効果をもたらすことができる。従って、継続的な湿度低下効果を得ることができる。
【００４１】
加えて、第１ユニット３０と第２ユニット４０との双方で三角柱プリズム３１，４１を有し、第２の辺３１ｂと第５の辺４１ｂとが対向して配置されていることから、三角柱プリズム３１，４１同士が対となり、ユーザが景色を視認した場合の歪みを抑えた窓として機能させることができる。
【００４２】
なお上記では、吸湿性の材料がその温度によって吸収する水分量が変わることを利用して空気中の水分を吸脱着する温度スイング法と呼ばれる方法について説明した。同様に、吸湿性の材料に替えて酸素や二酸化炭素、ＶＯＣ（揮発性有機化合物）の吸着材を用いれば温度スイング法により室内の酸素や二酸化炭素濃度、ＶＯＣ（揮発性有機化合物）濃度を調整することができる。
【００４３】
次に本発明の第２実施形態を説明する。第２実施形態に係る回転窓は以下の構成となっている。以下、第２実施形態の説明において、第１実施形態と同一又は同様の要素には同一の符号を付すものとする。
【００４４】
図４は、第２実施形態に係る回転窓を示す断面図である。図４に示すように、第２実施形態に係る回転窓２は、概略的に２枚の板材１０と、真空封止部材２０と、スロープ７０と、作動液（液体）ＨＦとを備えている。
【００４５】
２枚の板材１０は、互いに略平行配置される透明性の板材である。これらの板材１０は例えばガラス材によって構成されている。なお、これらの板材１０は第１実施形態と異なり水蒸気透過性を有しないものである。また、第２実施形態において、２枚の板材１０と真空封止部材２０によって形成される内部空間は、断熱性の観点から真空状態とされている。なお、内部空間は、真空状態に限らず、所定の気体で満たされていてもよい。
【００４６】
スロープ７０は、２枚の板材１０の間に介在する透明性の部材であり、図４に示す断面視状態において２回９０度に折られて断面略Ｎ字状の屈曲体となっている。このスロープ７０は、一方の端部７０ａが第１板材１０ａの内壁に接しており、他方の端部７０ｂが第２板材１０ｂの内壁に接して設けられている。このようなスロープ７０は、一端側において、第１板材１０ａと共に作動液ＨＦを貯留可能な貯留部Ｒｅｓを構成している。
【００４７】
図５は、図４に示したスロープ７０の詳細を示す斜視図である。図５に示すように、スロープ７０は、下板７１と、この下板７１と平行配置される上板７２と、これらを接続する接続板７３とから構成されている。
【００４８】
下板７１は、上記した端部７０ａを有すると共に、端部７０ａの反対側が櫛歯状に突出する櫛歯部７１ａとなっている。櫛歯部７１ａの各端面ＥＦは第２板材１０ｂの内壁に接する部位となる。上板７２は、接続板７３を挟んで下板７１と点対称構造となっている。すなわち、上板７２は、端部７０ｂの反対側が櫛歯状に突出する櫛歯部７２ａとなっており、櫛歯部７２ａの各端面ＥＦが第１板材１０ａの内壁に接する部位となる。このように、スロープ７０は、下板７１の両端部（端部７０ａ及び端面ＥＦ）、並びに、上板７２の両端部（端部７０ｂ及び端面ＥＦ）が２枚の板材１０にそれぞれ接する。これにより、スロープ７０は、真空状態とされる２枚の板材１０をその内側から支えることとなる。
【００４９】
再度図４を参照する。本実施形態において作動液ＨＦは水等の透明性の液体である。なお、作動液ＨＦは水に限られるものではない。このような作動液ＨＦは、貯留部Ｒｅｓに貯留されている。貯留部Ｒｅｓの作動液ＨＦは、第１板材１０ａからの熱によって蒸発可能となっている。蒸発した作動液ＨＦは、蒸気となって第２板材１０ｂに至る。蒸気となった作動液ＨＦは、第２板材１０ｂにおいて凝縮液化する。液化した作動液ＨＦは、第２板材１０ｂの内面を流下していき、スロープ７０の上板７２（図５参照）上に溜まる。一定量以上の作動液ＨＦが上板７２上に溜まると、作動液ＨＦは、上板７２の櫛歯部７２ａの隙間から貯留部Ｒｅｓに落下する。
【００５０】
具体的に説明すると、室温が２０℃であり、外気温が２５℃である場合、貯留部Ｒｅｓに溜まっている水（作動液ＨＦ）の蒸気圧は２．４ｋＰａ程度であり、内部空間が２．５／１００気圧程度の真空状態となった断熱ガラスとして機能している。この状態から室温が３０℃まで上昇すると、水の蒸発が進み４．３ｋＰａまで内部空間の圧力が上がろうとするが、蒸発した水（水蒸気）は室外側の第２板材１０ｂに触れると冷却されて液化し、第２板材１０ｂの内面を流下する。流下した水は、スロープ７０の上板７２を経て貯留部Ｒｅｓに戻る。
【００５１】
このように、作動液ＨＦは、貯留部Ｒｅｓから第２板材１０ｂを経て再度貯留部Ｒｅｓに戻るようになっており、スロープ７０は、このような作動液ＨＦの循環を可能とする液体循環構造となっている。さらに、第１板材１０ａは、作動液ＨＦが蒸発することから蒸発器として機能し、第２板材１０ｂは、作動液ＨＦが凝縮することから凝縮器として機能する。よって、第１板材１０ａ側は蒸発熱が奪われて冷却化され、第２板材１０ｂ側からは凝縮熱が破棄されることとなる。結果として第１板材１０ａ側の熱が第２板材１０ｂ側へ貫流することとなり、例えば夏場では室内側が第１板材１０ａとなることで、湿気を取り込むことなく室内を快適化する調温効果を得ることができる。なお、夏場において室温が低いような場合には、作動液ＨＦは蒸発することなく、断熱ガラスとして機能させることができる。
【００５２】
ここで、本実施形態においてスロープ７０は、第１板材１０ａと共に貯留部Ｒｅｓを形成しているが、第１板材１０ａの内面に伝熱部材が貼り付けられており、伝熱部材と共に貯留部Ｒｅｓを形成するようになっていてもよい。すなわち、スロープ７０は、他の部材と共に第１板材１０ａ側に貯留部Ｒｅｓを形成するものであってもよい。さらに、本実施形態において作動液ＨＦは、第２板材１０ｂに到達して凝縮液化しているが、これに限らず、第２板材１０ｂの内面に伝熱部材が貼り付けられており、伝熱部材に到達して凝縮液化するようになっていてもよい。
【００５３】
加えて、スロープ７０は、作動液ＨＦを循環させる液体循環構造であれば、図５に示したような構造に限られるものではなく、例えば単なる傾斜構造（端部７０ａから端部７０ｂに向かって傾斜する傾斜構造）であってもよい。
【００５４】
また、第１板材１０ａは、蒸発能力向上のため熱吸収ガラス（ガラス組成物の中に鉄分等の金属を含むガラス）であってもよい。さらに、２枚の板材１０は、断熱時の断熱性向上のために、少なくとも一方の内面に赤外線反射処理が施されていてもよい。
【００５５】
図６は、第２実施形態に係る回転窓２を示す斜視図であって、回転機構を示すものである。図６に示すように、回転窓２は図４に示した構成に加えて、回転機構６０を備えている。回転機構６０は、第１実施形態と同様に、ピボット６１と、窓枠６２と、不図示のロック手段とを備えている。
【００５６】
ピボット６１は、２枚の板材１０、真空封止部材２０、及びスロープ７０を有する積層体（平板体）Ｌの上下辺の中央に接続されている。また、ピボット６１は矩形の窓枠６２の上下部材６２ｂの中央部に対してそれぞれ回転自在に設けられている。このため、積層体Ｌは、ピボット６１を中心に回転可能となっており、回転時においては積層体Ｌの上下位置を維持したまま左右方向に半回転して、第１板材１０ａと第２板材１０ｂとの相対位置を入れ替えることができるようになっている。
【００５７】
積層体Ｌは、半回転された後にロック手段によって窓枠６２にロックされる。これにより、熱貫流方向を反転させた回転窓２を得ることができる。すなわち、積層体Ｌを半回転可能とすることで、室内の冷却効果と加温効果とを入れ替えることができる。
【００５８】
なお、積層体Ｌを半回転させる構成は図６に示すものに限られない。図７は、第２実施形態に係る回転窓２の他の例を示す斜視図である。図７に示すように、回転窓２は、室外側に更に固定ガラスＦＧを備えている。このため、図７に示す回転窓２は、固定ガラスＦＧに積層体Ｌが接触することなく半回転可能に構成されている。
【００５９】
図７に示す例においてピボット６１は、積層体Ｌの左右いずれかの端部ＬＷ１に設けられると共に、ピボット６１は窓枠６２の上下部材６２ｂに対してスライド可能となっている。このため、以下のようにして回転動作を行うことができる。まず、窓枠６２の左右部材６２ａのうちの一方に、積層体Ｌのピボット６１側の端部ＬＷ１が位置しているとする。この状態から積層体Ｌを半回転させる場合には、まずロック手段が解除される。次いで、積層体Ｌのうちピボット６１が設けられていない側の端部ＬＷ２が室内側に引き出される。次に、積層体Ｌのピボット６１側の端部ＬＷ１が、窓枠６２の左右部材６２ａのうちの他方にスライドさせられる。その後、積層体Ｌの端部ＬＷ２が左右部材６２ａのうちの一方側となるように積層体Ｌを窓枠６２に嵌め込みロック手段によりロックされる。
【００６０】
以上のように、室外側に固定ガラスＦＧを有する回転窓２であっても、熱貫流方向を反転させることができ、室内の冷却と加温とを入れ替えることができる。
【００６１】
次に、本実施形態に係る回転窓２の動作を説明する。まず、図４に示すように、第１板材１０ａが室内側となり、第２板材１０ｂが室外側になっているものとする。この場合において、例えば室温が２０℃であり、外気温が２５℃であるとすると、貯留部Ｒｅｓの作動液ＨＦは蒸発することがない。ところが、２枚の板材１０の内部空間が真空状態となっていることから、断熱効果を発揮することとなり、回転窓２は断熱ガラスとして機能する。
【００６２】
これに対して、例えば室温が３０℃であり、外気温が２５℃になると、貯留部Ｒｅｓの作動液ＨＦが蒸発する。蒸発した作動液ＨＦは室外側の第２板材１０ｂに到達して冷却されて液化し、第２板材１０ｂの内面を流下する。流下した作動液ＨＦはスロープ７０の上板７２を介して再度貯留部Ｒｅｓに戻る。この過程において、第１板材１０ａは作動液ＨＦの蒸発による蒸発熱によって冷却し、第２板材１０ｂからは作動液ＨＦの凝縮熱が破棄される。よって、室内側の熱を室外に貫流させることとなり、室内を冷却する調温効果を得ることができる。
【００６３】
さらに、図６又は図７に示すように、第１板材１０ａと第２板材１０ｂとの上下位置を維持したまま相対位置を入れ替えた場合には、上記と動作が逆になる。
【００６４】
すなわち、冬場等において外気温が所定温度以上に高くなると、貯留部Ｒｅｓの作動液ＨＦが蒸発する。これにより、上記と同様にして、室外側となる第１板材１０ａは作動液ＨＦの蒸発による蒸発熱によって冷却し、室内側となる第２板材１０ｂからは作動液ＨＦの凝縮熱が破棄される。よって、室外側の熱を室内に貫流させることとなり、室内を暖房する調温効果を得ることができる。
【００６５】
なお、冬場等において貯留部Ｒｅｓの作動液ＨＦが蒸発しない環境下において回転窓２は、上記と同様に断熱ガラスとして機能する。
【００６６】
このようにして、第２実施形態に係る回転窓２によれば、第１実施形態と同様に、どちらの面が室外側となっても室内側に調温効果をもたらすことができる。
【００６７】
さらに、第１板材１０ａと第２板材１０ｂとのどちらが室外側となるかによって、もたらされる調温効果が異なるようになっている。このため、環境に応じて室外側となる面を選択することで、環境に応じた調温効果（空調効果）を得ることができる。
【００６８】
さらに、作動液ＨＦが蒸発する温度条件を満たさないときには断熱効果が得られるため、空調効果が得られないときには断熱効果を得ることができる。
【００６９】
また、上下位置を維持したまま左右方向に回転可能とされているため、例えば上下方向を維持したままの回転であることが好ましい場合に、適切に回転を行って室内側に空調効果をもたらすことができる。
【００７０】
また、第１板材１０ａ側の熱によって蒸発した貯留部Ｒｅｓ内の作動液ＨＦが第２板材１０ｂ側に到達し、第２板材１０ｂ側において凝縮した液体を再度貯留部Ｒｅｓに戻す液体循環構造とされたスロープ７０を備える。このため、第１板材１０ａ側からの熱によって液体が蒸発する環境下においては、第１板材１０ａ側は蒸発熱が奪われて冷却化される。これに対して、蒸発した作動液ＨＦは第２板材１０ｂ側に到達すると冷却されて凝縮液化し、第２板材１０ｂ側からは凝縮熱が破棄されることとなる。よって、結果として第１板材１０ａ側の熱が第２板材１０ｂ側へ貫流することとなり、どちらの面を室内側に向けるかを選択することで、室内側に冷房効果や暖房効果をもたらすことができる。
【００７１】
次に本発明の第３実施形態を説明する。第３実施形態に係る回転窓は以下の構成となっている。以下、第３実施形態の説明において、第２実施形態と同一又は同様の要素には同一の符号を付すものとする。
【００７２】
図８は、第３実施形態に係る回転窓を示す断面図である。図８に示すように、第３実施形態に係る回転窓３は、第２実施形態に係る積層体Ｌを２つ（複数の一例）備えている。これらの２つの積層体Ｌは、空間を有した状態で互いに向かい合って配置されている。
【００７３】
さらに、第３実施形態においては、２つの積層体Ｌの間に封止部材８０を備えると共に、２つの積層体Ｌと封止部材８０とで挟まれる空間に、透明性の潜熱蓄熱材９０を備えている。潜熱蓄熱材９０は、例えば無機塩水和物（Ｎａ２ＳＯ４１０Ｈ２ＯやＣａＣｌ２６Ｈ２Ｏ）によって構成されている。このような潜熱蓄熱材９０は、目の字断面材（上下方向にセルＳとなる空隙部分が配列された板材）の空隙部分に封入されて保持されている。なお、潜熱蓄熱材９０は、ハニカム断面材（セルＳとなる空隙部分がハニカム状に上下左右に配列された板材）の空隙部分に封入されていてもよい。本実施形態において潜熱蓄熱材９０は、例えば２１℃に融点及び凝固点を有する。
【００７４】
なお、潜熱蓄熱材９０は無機塩水和物に限らず、他のものであってもよい。さらに、潜熱蓄熱材９０の融点及び凝固点は２１℃に限らず他の温度であってもよい。加えて、潜熱蓄熱材９０には、融点及び凝固点が異なる物質が用いられてもよい。すなわち、潜熱蓄熱材９０は、回転窓３が用いられる環境に応じた特定温度範囲に融点及び凝固点を有するものであればよい。さらに、本実施形態において、一方の積層体Ｌ１の第１板材１０ａと、他方の積層体Ｌ２の第２板材１０ｂとが向かい合うように配置されている。
【００７５】
このような回転窓３において、他方の積層体Ｌ２の第１板材１０ａは、例えば２１℃以上の温度で作動液ＨＦが蒸発し、第２板材１０ｂ側から凝縮熱が破棄される。この熱は潜熱蓄熱材９０によって蓄熱される。さらに、一方の積層体Ｌ１の第２板材１０ｂ側が２１℃未満の温度となると、潜熱蓄熱材９０に蓄熱される熱により、一方の積層体Ｌ１側の貯留部Ｒｅｓにおいて作動液ＨＦが蒸発し、第２板材１０ｂ側から凝縮熱が破棄される。結果として他方の積層体Ｌ２側の熱がバッファとなる潜熱蓄熱材９０を介して一方の積層体Ｌ１側へ貫流することとなる。これにより、例えば夏場では室内側が他方の積層体Ｌ２となることで、湿気を取り込むことなく室内を冷房する調温効果を得ることができる。
【００７６】
特に、第３実施形態に係る回転窓３は、外気温の方が高くても室温が例えば２１℃以上であれば、潜熱蓄熱材９０を利用して冷房効果を得ることができる。すなわち、潜熱蓄熱材９０は２１℃で固定化されていることから、室温が２１℃以上であれば、室内の熱を潜熱蓄熱材９０に移送でき、室内において冷房効果を得ることができる。潜熱蓄熱材９０に蓄えられた熱は、例えば夜間などの外気温が２１℃以下となる場合に破棄されることとなる。よって、回転窓３は、潜熱蓄熱材９０をバッファとして備えることにより、室内の快適化を行う頻度を高めることができるようになっている。
【００７７】
加えて、第３実施形態に係る回転窓３は、図６及び図７に示すような回転機構６０を備えて、上下位置を維持したまま左右方向に回転して一方の積層体Ｌ１と他方の積層体Ｌ２との相対位置を入れ替える回転動作が可能となっている。
【００７８】
さらに、第３実施形態に係る回転窓３は、図９に示す回転機構を備えることが好ましい。図９は、第３実施形態に係る回転窓３を示す斜視図であって、回転機構を示すものである。なお、図９に示す例において、回転窓３のうち回転機構６０を除く構成（２つの積層体Ｌ、封止部材８０、及び潜熱蓄熱材９０）を複合積層体（平板体）ＣＬと称する。
【００７９】
図９に示すように、第３実施形態に係る回転窓３は、室外側に更に固定ガラスＦＧを備えている。このため、図９に示す回転窓３は、固定ガラスＦＧに複合積層体ＣＬが接触することなく上下方向及び左右方向に半回転可能に構成されている。
【００８０】
図９に示す例において回転機構６０は、第１ピボット６３ａと、第２ピボット６３ｂと、第１窓枠６４ａと、第２窓枠６４ｂと、不図示の第１及び第２ロック手段を備えている。
【００８１】
第１窓枠６４ａは、建物側に固定された矩形枠である。第２窓枠６４ｂは左右のいずれかの端部ＬＷ１に第１ピボット６３ａが設けられると共に、第１ピボット６３ａは第１窓枠６４ａの上下部材６２ｂに対してスライド可能となっている。また、第２ピボット６３ｂは、複合積層体ＣＬの高さ方向中間部に取り付けられると共に、矩形の第２窓枠６４ｂの左右部材６２ａ２の中央部にそれぞれ回転自在に設けられている。
【００８２】
このため、以下のようにして回転動作を行うことができる。まず、第１窓枠６４ａの左右部材６２ａ１のうちの一方に、第２窓枠６４ｂの第１ピボット６３ａ側の端部ＬＷ１が位置しているとする。この状態から、第１ロック手段が解除され、第２窓枠６４ｂの第１ピボット６３ａが設けられてない側の端部ＬＴ２が室内側に引き出される。次に、第２ロック手段を解除し、第２ピボット６３ｂを中心にして複合積層体ＣＬが上下方向に半回転させられる。そして、第２ロック手段によりロックされる。次いで、第２窓枠６４ｂの第１ピボット６３ａ側の端部ＬＷ１が、第１窓枠６４ａの左右部材６２ａ１のうちの他方にスライドさせられる。その後、第２窓枠６４ｂの端部ＬＴ２が左右部材６２ａのうちの一方側となるように第２窓枠６４ｂが第１窓枠６４ａに嵌め込まれ第１ロック手段でロックされる。
【００８３】
以上のように、室外側に固定ガラスＦＧを有する回転窓３において、複合積層体ＣＬを上下方向及び左右方向の双方に回転可能となっている。
【００８４】
なお、図５にも示したように、スロープ７０は下板７１と上板７２との形状が接続板７３を挟んで点対称構造となっていることから、複合積層体ＣＬが上下方向に半回転させられた場合においても、スロープ７０は貯留部Ｒｅｓを形成する。すなわち、上下方向に半回転させられた場合、上板７２と第２板材１０ｂとによって貯留部Ｒｅｓが形成されることとなる。
【００８５】
ここで、潜熱蓄熱材９０は、凝固と融解とを繰り返すことで沈殿物が発生して、蓄熱量の低下を招く傾向にある。ところが、図９に示すように、第３実施形態に係る回転窓３は、左右方向のみならず上下方向へも回転可能な回転機構６０を備えるため、上下方向への半回転時に沈殿物を砕くことができ、蓄熱量の回復を図ることができる。なお、沈殿物を砕くという観点から、上下方向に１回転以上させるようにしてもよい。
【００８６】
次に、第３実施形態に係る回転窓３の動作を説明する。まず、図８に示すように、他方の積層体Ｌ２の第１板材１０ａが室内側となり、一方の積層体Ｌ１の第２板材１０ｂが室外側になっているものとする。
【００８７】
この場合において、例えば室温が２１℃以上になると、貯留部Ｒｅｓの作動液ＨＦが蒸発する。蒸発した作動液ＨＦは室外側の第２板材１０ｂに到達して液化し、第２板材１０ｂの内面を流下する。流下した作動液ＨＦはスロープ７０の上板７２を介して再度貯留部Ｒｅｓに戻る。この過程において、第１板材１０ａは作動液ＨＦの蒸発による蒸発熱によって冷却され、第２板材１０ｂからは作動液ＨＦの凝縮熱が破棄される。破棄された熱は潜熱蓄熱材９０によって蓄えられる。よって、室内側の熱を潜熱蓄熱材９０に移行させて、室内を冷却する空調効果をもたらすことができる。
【００８８】
なお、一方の積層体Ｌ１については、外気温が２１℃以下となると、上記と同様にして、作動液ＨＦが蒸発と凝縮を繰り返すこととなり、潜熱蓄熱材９０に蓄えられた熱が外気に破棄される。
【００８９】
さらに、図９に示すような回転機構６０を利用して、左右方向に回転させた場合には、上記と動作が逆になり、冬場等において室内を暖房する空調効果を得ることができる。また、回転機構６０を利用して、上下方向に回転させた場合には、潜熱蓄熱材９０の沈殿物を砕く効果があって蓄熱量を回復させることとなる。上下方向及び左右方向に回転させた場合には、沈殿物を砕きながら動作を逆にした空調効果を得ることができる。
【００９０】
このようにして、第３実施形態に係る回転窓３によれば、第１実施形態と同様に、どちらの面が室外側となっても室内側に調温効果をもたらすことができる。
【００９１】
さらに、第１積層体Ｌ１と第２積層体Ｌ２とのどちらが室外側となるかによって、もたらされる調温効果が異なるようになっている。このため、環境に応じて室外側となる面を選択することで、環境に応じた調温効果（空調効果）を得ることができる。
【００９２】
さらに、作動液ＨＦが蒸発する温度条件を満たさないときには断熱効果が得られるため、空調効果が得られないときには断熱効果を得ることができる。
【００９３】
また、上下方向及び左右方向の双方に回転可能とされているため、例えば回転前と同じ面の向きを維持したまま上下をひっくり返すことなどができ、同じ面を室外側に向けたまま上下の反転を行うことができる。
【００９４】
また、第１及び第２積層体Ｌ１，Ｌ２の間の空間に、特定温度範囲に融点及び凝固点を有する潜熱蓄熱材９０を備えるため、例えば、例えば室温よりも外気温の方が高くなる場合であっても室温が特定温度範囲以上であれば室内の熱を潜熱蓄熱材９０に移送し、夜間など特定温度範囲よりも室外が涼しくなるときに潜熱蓄熱材９０の熱を外気に破棄することができる。このように、潜熱蓄熱材９０をバッファとして有することで、室内の快適化を行う頻度を高めることができる。特に、上下位置を維持したまま左右方向に回転させた場合には、夏場と冬場や昼間と夜間など、熱貫流させる方向を変えたいときに積層体Ｌ１，Ｌ２の相対位置を入れ替えて、冷暖房を選択することができる。また、左右位置を維持したまま上下方向に回転させた場合には、潜熱蓄熱材９０を上下に回転させることとなり、特定成分が沈殿することによる蓄熱効果の低減を抑えることができる。加えて、双方の回転を行った場合には、冷暖房を変化させながら、特定成分が沈殿することによる蓄熱効果の低減を抑えることができる。
【００９５】
次に本発明の第４実施形態を説明する。第４実施形態に係る回転窓は以下の構成となっている。以下、第４実施形態の説明において、第１実施形態と同一又は同様の要素には同一の符号を付すものとする。
【００９６】
図１０は、第４実施形態に係る回転窓を示す断面図である。図１０に示すように、第４実施形態に係る回転窓４は、２枚の板材１０と、真空封止部材２０と、太陽熱受領部１００と、複数の介在部材１１０と、冷媒分配器１２０と、吸収液分配器１３０と、ポンプＰとを備えている。
【００９７】
２枚の板材１０は、互いに略平行配置される透明性の板材である。これらの板材１０は例えばガラス材によって構成されている。なお、これらの板材１０は第１実施形態と異なり水蒸気透過性を有しないものである。真空封止部材２０は、２枚の板材１０の周端部に設けられている。
【００９８】
太陽熱受領部１００は、２枚の板材１０の室外側に、板材１０と略平行に設けられる集エネルギーパネルである。この太陽熱受領部１００についても透明性の板材によって構成されている。
【００９９】
複数の介在部材１１０は、２枚の板材１０と真空封止部材２０によって形成される内部空間に設けられるものであって、第１介在部材１１１と、第２介在部材１１２と、複数の第３介在部材１１３とを備えている。
【０１００】
第１介在部材１１１は、２枚の板材１０の間の上部側に設けられるものである。第４実施形態において、上側の真空封止部材２０と第１介在部材１１１とで挟まれる空間は、太陽熱受領部１００により受領された熱により吸収液（例えば臭化リチウム水溶液）と冷媒（例えば水）とが混合された希溶液を加熱する再生器Ｒとして機能するようになっている。再生器Ｒは、上記の加熱により、当該希溶液から冷媒を蒸発させて希溶液を冷媒蒸気と濃溶液とに分離する。
【０１０１】
第２介在部材１１２は、２枚の板材１０の間のうち、第１介在部材１１１の下部に設けられるものである。第４実施形態において、第１介在部材１１１と第２介在部材１１２とで挟まれる空間は、再生器Ｒにより生成された蒸気冷媒を液化する凝縮器Ｃとして機能する。凝縮熱は、第１板材１０ａ側を通じて室外側に排出することが好ましい。
【０１０２】
複数の第３介在部材１１３は、２枚の板材１０の間のうち、第２介在部材１１２の下部側に略等間隔で設けられるものである。第４実施形態において、第２介在部材１１２と下側の真空封止部材２０とで挟まれる空間（凝縮器Ｃの下部空間）は、減圧状態とされる。すなわち、複数の第３介在部材１１３は、減圧状態に耐え得るように内側から２枚の板材１０を支える部材として機能する。
【０１０３】
また、凝縮器Ｃの下部空間は、蒸発器Ｅと吸収器Ａとして機能するようになっている。詳細に説明すると、この下部空間の第１板材１０ａ側には、凝縮器Ｃで得られた液体冷媒を第１板材１０ａの内壁に滴下する冷媒分配器１２０が設けられている。この冷媒分配器１２０により冷媒が滴下されることで、冷媒は第１板材１０ａ側で蒸発して蒸気冷媒とされる。これにより、下部空間のうち第１板材１０ａ側は、第１板材１０ａ側を冷却する蒸発器Ｅとして機能する。
【０１０４】
また、この下部空間の第２板材１０ｂ側には、再生器Ｒにて得られた濃溶液を第２板材１０ｂの内壁に滴下する吸収液分配器１３０が設けられている。この吸収液分配器１３０により濃溶液が滴下されることで、濃溶液は、蒸発器Ｅからの蒸気冷媒を吸収する。これにより、下部空間のうち第２板材１０ｂ側は、吸収熱により第２板材１０ｂを加温する吸収器Ａとして機能する。
【０１０５】
ポンプＰは、蒸気冷媒を吸収した希溶液を再生器Ｒまで送り出す動力源となるものである。
【０１０６】
さらに、第４実施形態においては、例えば図７に示した回転機構６０を備えており、上下方向を維持したまま積層体Ｌを左右方向に半回転可能となっている。なお、第４実施形態に係る回転窓４のうちＦＧに相当する太陽熱受領部１００と回転機構６０とを除く構成（２枚の板材１０、真空封止部材２０、複数の介在部材１１０、冷媒分配器１２０、及び吸収液分配器１３０）を積層体（平板体）Ｌと称する。
【０１０７】
次に、第４実施形態に係る回転窓４の動作を説明する。まず、図１０に示すように、第１板材１０ａが室内側となり、第２板材１０ｂが室外側になっているものとする。
【０１０８】
この場合において、太陽熱受領部１００は太陽熱を受領する。再生器Ｒは、太陽熱受領部１００によって受領された熱を利用して、希溶液から冷媒を蒸発させて冷媒蒸気と濃溶液とに分離させる。濃溶液は吸収液分配器１３０に導入され、冷媒蒸気は凝縮器Ｃに導入される。
【０１０９】
凝縮器Ｃは、２枚の板材１０の外側の空気熱を利用して、蒸気冷媒を凝縮して液化する。液化された冷媒は冷媒分配器１２０に導入される。冷媒分配器１２０は、凝縮器Ｃで得られた液体冷媒を２枚の板材のうち第１板材１０ａの内壁に滴下する。これにより、冷媒は第１板材１０ａ側で蒸発して第１板材１０ａ側を冷却する。よって、室内を冷房する調温効果を得ることができる。
【０１１０】
また、吸収液分配器１３０は、再生器Ｒにて得られた濃溶液を２枚の板材１０のうち第２板材１０ｂの内壁に滴下する。これにより、凝縮器Ｃからの蒸気冷媒が濃溶液に吸収され、希溶液とされる。この際の吸収熱は第２板材１０ｂを介して室外に排出される。その後、希溶液はポンプＰによって再生器Ｒまで圧送される。
【０１１１】
図１１は、第４実施形態に係る回転窓３の積層体Ｌを回転機構６０を利用して回転させたときの断面図である。図７に示すような回転機構６０を利用して、第１板材１０ａと第２板材１０ｂとの上下位置を維持したまま相対位置を入れ替えた場合には、図１１に示すように、第１板材１０ａが室外側となり、第２板材１０ｂが室内側になる。この場合において、濃溶液は凝縮器Ｃで得られた蒸気冷媒を吸収し、その際の吸収熱により第２板材１０ｂを加温して、室内を暖房する調温効果をもたらすこととなる。一方、冷媒は第１板材１０ａ側で蒸気冷媒とされ、第１板材１０ａ側を冷却する。この冷熱は、第１板材１０ａを通じて室外に排出される。
【０１１２】
このようにして、第４実施形態に係る回転窓４によれば、第１実施形態と同様に、どちらの面が室外側となっても室内側に調温効果をもたらすことができる。
【０１１３】
さらに、第１板材１０ａと第２板材１０ｂとのどちらが室外側となるかによって、もたらされる調温効果が異なるようになっている。このため、環境に応じて室外側となる面を選択することで、環境に応じた調温効果（空調効果）を得ることができる。
【０１１４】
また、上下位置を維持したまま左右方向に回転可能とされているため、例えば上下方向を維持した回転でなければ空調効果に支障をきたす場合等に適切に回転させて室内側に空調効果をもたらすことができる。
【０１１５】
また、２枚の板材１０のうち第１板材１０ａ側を蒸発器Ｅとし、第２板材１０ｂ側を吸収器Ａとするため、第１板材１０ａ側が冷却され、第２板材１０ｂ側が加温されることとなる。よって、どちらの面を室内側に向けるかを選択することで、室内側に冷房効果や暖房効果をもたらすことができる。
【０１１６】
次に本発明の第５実施形態を説明する。第５実施形態に係る回転窓は以下の構成となっている。以下、第５実施形態の説明において、第１実施形態と同一又は同様の要素には同一の符号を付すものとする。
【０１１７】
図１２は、第５実施形態に係る回転窓を示す断面図である。図１２に示すように、第５実施形態に係る回転窓５は、２枚の板材１０と、封止部材８０と、潜熱蓄熱材９０とを備えている。
【０１１８】
潜熱蓄熱材９０は、例えば無機塩水和物（Ｎａ２ＳＯ４１０Ｈ２ＯやＣａＣｌ２６Ｈ２Ｏ）によって構成されており、目の字断面材（上下方向にセルＳとなる空隙部分が配列された板材）の空隙部分に封入されて保持されている。潜熱蓄熱材９０は、ハニカム断面材の空隙部分に封入されていてもよい。また、複数のセルＳはそれぞれが膜部材を備えている。
【０１１９】
図１３及び図１４は、複数のセルＳの１つを示す拡大図であり、（ａ）は第１状態を示し、（ｂ）はセルＳが上下方向に半回転させられたときの第２状態を示している。図１３（ａ）に示すように、セルＳは、その高さ方向に隔った位置に膜部材Ｓ１が設けられている。膜部材Ｓ１は、特定イオンと他のイオンとの透過速度を異ならせるイオン交換膜ＩＥＭである。また、図１４（ａ）に示すように、膜部材Ｓ１は、イオンと水分との透過速度を異ならせる半透膜ＳＰＭから構成されていてもよい。
【０１２０】
さらに、セルＳには潜熱蓄熱材９０の体積変化に対応できるように気相ＧＰが設けられている。また、膜部材Ｓ１は、セルＳの上面ＵＳ又は下面ＢＳに近い位置に設けられ、セルＳ内を小空間ＳＳと主空間ＭＳとに仕切っている。なお、膜部材Ｓ１は後述のように回転窓５が上下方向に半回転させられても、潜熱蓄熱材９０が液体状態であるときには漬かったままである位置に設けられている。
【０１２１】
ここで、第５実施形態に係る回転窓５においては、例えば図３に示すような回転機構６０を備えて、２枚の板材１０、封止部材８０、及び潜熱蓄熱材９０からなる積層体（平板体）Ｌの上下を半回転させる動作が可能となっている。なお、回転窓５は上下方向に加えて左右方向に回転可能となっていてもよい。
【０１２２】
次に、図１３を参照して、第５実施形態に係る回転窓５の動作を説明する。なお、図１３に示す例において潜熱蓄熱材９０は、Ｎａ２ＳＯ４・１０Ｈ２Ｏに凝固点降下剤であるＮａＣｌが添加されているものとする。
【０１２３】
まず、冬季においてセルＳは図１３（ａ）に示す向きとなっている。すなわち、イオン交換膜ＩＥＭが下側に位置した状態となっている。ここで、イオン交換膜ＩＥＭは例えば１価イオン選択透過性陰イオン交換膜である。このため、塩素イオン及び水はイオン交換膜ＩＥＭを透過可能であり、小空間ＳＳには塩素イオン及び水が位置することとなる。このため、主空間ＭＳにおける凝固点降下剤の濃度が低くなる。よって、セルＳ内の潜熱蓄熱材９０の凝固点を例えば２６℃程度の高めにすることができ、室内を暖房する調温効果をもたらす冬季用の潜熱蓄熱窓とすることができる。
【０１２４】
一方、夏季には例えば図３に示すような回転機構６０を利用して積層体Ｌの左右位置を維持したまま積層体Ｌを上下方向に半回転させる。この場合には、図１３（ｂ）に示すようになる。すなわち、小空間ＳＳの多くが気相ＧＰとなる。また、図１３（ａ）において小空間ＳＳに存在した塩素イオン及び水の多くが主空間ＭＳに移行する。この結果、主空間ＭＳにおける凝固点降下剤の濃度が高くなる。よって、セルＳ内の潜熱蓄熱材９０の凝固点を例えば１８℃程度の低めにすることができ、室内を冷房する調温効果をもたらす夏季用の潜熱蓄熱窓とすることができる。
【０１２５】
更に、図１４を参照して、第５実施形態に係る回転窓５の動作を説明する。なお、図１４に示す例において潜熱蓄熱材９０は、Ｎａ２ＳＯ４・１０Ｈ２Ｏであるものとする。
【０１２６】
まず、冬季においてセルＳは図１４（ａ）に示す向きとなっている。すなわち、半透膜ＳＰＭが下側に位置した状態となっている。ここで、半透膜ＳＰＭはイオンの透過速度が非常に遅いことから、小空間ＳＳには水が位置することとなり、主空間ＭＳにおける潜熱蓄熱材９０の濃度が高くなる。よって、セルＳ内の潜熱蓄熱材９０の凝固点を例えば２６℃程度の高めにすることができ、室内を暖房する調温効果をもたらす冬季用の潜熱蓄熱窓とすることができる。
【０１２７】
一方、夏季には図３に示すような回転機構６０を利用して積層体Ｌの左右位置を維持したまま積層体Ｌを上下方向に半回転させる。この場合には、図１４（ｂ）に示すようになる。すなわち、小空間ＳＳの多くが気相ＧＰとなる。また、図１４（ａ）において小空間ＳＳに存在した水の多くが主空間ＭＳに移行する。この結果、主空間ＭＳにおける潜熱蓄熱材９０の濃度が低くなる。よって、セルＳ内の潜熱蓄熱材９０の凝固点を例えば１８℃程度の低めにすることができ、室内を冷房する調温効果をもたらす夏季用の潜熱蓄熱窓とすることができる。
【０１２８】
このようにして、第５実施形態に係る回転窓５によれば、第１実施形態と同様に、どちらの面が室外側となっても室内側に調温効果をもたらすことができる。
【０１２９】
さらに、第１板材１０ａと第２板材１０ｂとのどちらが室外側となるかによって、もたらされる調温効果が異なるようになっている。このため、環境に応じて室外側となる面を選択することで、環境に応じた調温効果（空調効果）を得ることができる。
【０１３０】
また、左右位置を維持したまま上下方向に回転可能とされているため、例えば第１板材１０ａと第２板材１０ｂとの相対位置を入れ替える際に上下回転でなければ、双方の面で意図した調温効果を得られない場合に、適切に回転させて室内側に意図した調温効果をもたらすことができる。
【０１３１】
また、気相ＧＰを有して潜熱蓄熱材９０を封入し高さ方向に配列される複数のセルＳと、高さ方向に隔った位置で設けられた膜部材Ｓ１とを備えるため、上下回転させることにより、膜部材Ｓ１の上下における凝固点降下剤や潜熱蓄熱材９０の濃度を変化させて潜熱蓄熱材９０の融点及び凝固点を変化させることができる。これにより、融点及び凝固点を高くした場合には室内側に暖房効果をもたらすことができ、融点及び凝固点を低くした場合には室内側に冷房効果をもたらすことができる。
【０１３２】
以上、実施形態に基づき本発明を説明したが、本発明は上記実施形態に限られるものではなく、本発明の趣旨を逸脱しない範囲で、変更を加えてもよいし、可能な範囲で適宜他の技術を組み合わせてもよい。さらに、可能な範囲で公知又は周知の技術を組み合わせてもよい。
【０１３３】
例えば、上記実施形態においては図３，６，７，９に示す回転機構６０を示したが、回転機構６０は図示したものに限られるものではない。また、第２実施形態に係る回転窓２においてスロープ７０は、接続板７３を挟んで上板７２と下板７１とが点対称構造となっているため、上下方向に半回転可能となっていてもよい。さらに、第５実施形態に係る回転窓５についても、左右方向に半回転可能となっていてもよい。
【０１３４】
加えて、第２実施形態に係る回転窓２については霧状の水分を噴霧する噴霧手段を備えていてもよい。例えば図４に示す状態において外気温が室温よりも高いものとする。この場合に、第２板材１０ｂに対して霧状の水分を噴霧すると外気温が高い場合でも露点近くまで第２板材１０ｂを下げようとする効果が得られる。この結果、疑似的に外気温が低くなったときと同様の状態を作り出し、室内側に冷房効果をもたらすことができるからである。第３実施形態も同様である。
【０１３５】
また、第１実施形態において２枚の板材１０は水蒸気透過性のものが使用されているが、これに限らず、水蒸気が不透過のものによって構成されていてもよい。この場合、例えば第１三角柱プリズム３１と第２三角柱プリズム４１とのそれぞれに配管を接続して、吸湿性の液体Ｌｉ等の再生時に配管を通じて水蒸気を室外に放出できると共に、室内から湿気を配管を通じて吸湿性の液体Ｌｉ等に取り込むことができるように構成することとなる。
【符号の説明】
【０１３６】
１〜５    ：回転窓（回転建具）
Ｌ        ：積層体（平板体）
Ｌ１，Ｌ２：第１及び第２積層体
ＣＬ      ：複合積層体（平板体）
１０      ：２枚の板材
１０ａ    ：第１板材（第１面、一方の板材）
１０ｂ    ：第２板材（第２面、他方の板材）
３０      ：第１ユニット
３１      ：第１三角柱プリズム
３１ａ    ：第１の辺
３１ｂ    ：第２の辺
３１ｃ    ：第３の辺
３２      ：第１選択吸収部（第１太陽熱受領部）
４０      ：第２ユニット
４１      ：第２三角柱プリズム
４１ａ    ：第４の辺
４１ｂ    ：第５の辺
４１ｃ    ：第６の辺
４２      ：第２選択吸収部（第２太陽熱受領部）
５０      ：隔離壁
６０      ：回転機構
６１      ：ピボット
６２      ：窓枠
６３ａ    ：第１ピボット
６３ｂ    ：第２ピボット
６４ａ    ：第１窓枠
６４ｂ    ：第２窓枠
ＶＩＬ    ：真空断熱層（隔離層）
７０      ：スロープ
ＨＦ      ：作動液（液体）
Ｒｅｓ    ：貯留部
９０      ：潜熱蓄熱材
１００    ：太陽熱受領部
Ｒ        ：再生器
Ｃ        ：凝縮器
Ｅ        ：蒸発器
Ａ        ：吸収器
Ｌｉ      ：液体
Ｓ        ：セル
Ｓ１      ：膜部材
ＭＳ      ：主空間
ＳＳ      ：小空間
ＧＰ      ：気相
【図１】
2019112887.tif 000003
【図２】
2019112887.tif 000004
【図３】
2019112887.tif 000005
【図４】
2019112887.tif 000006
【図５】
2019112887.tif 000007
【図６】
2019112887.tif 000008
【図７】
2019112887.tif 000009
【図８】
2019112887.tif 000010
【図９】
2019112887.tif 000011
【図１０】
2019112887.tif 000012
【図１１】
2019112887.tif 000013
【図１２】
2019112887.tif 000014
【図１３】
2019112887.tif 000015
【図１４】
2019112887.tif 000016